(57)【要約】【課題】ネットワーク上の配信サーバからセキュリティを保持した状態で拡張コンテンツを取得する。【解決手段】通信回線を介して外部との接続可否を示す接続情報を格納する記憶部と、光ディスク挿入の際に、光ディスクに記録されている種別情報及び接続情報を参照してこれらが外部との接続を示している際に、光ディスク中のアドレス情報に従い通信回線上の配信サーバと通信を行なう通信手段と、配信サーバからの要求に応じて、ディスク認証のための認証情報を光ディスクの記憶領域から読み出して配信サーバに送信する認証情報送信手段と、配信サーバにおけるディスク認証処理により拡張コンテンツの配信が許可されると、配信サーバから拡張コンテンツをダウンロードするダウンロード手段と、この拡張コンテンツを光ディスク中の映像・音声情報に同期して再生出力する再生部と、光ディスクが排出されると配信サーバとの接続状態を中断する光ディスク装置。【選択図】図１
2006073187.tif 000002
【特許請求の範囲】
【請求項１】
光ディスクから映像又は音声情報を再生する光ディスク装置において、
通信回線を介して外部との接続を行うか否かを示す接続情報を格納する記憶部と、
前記光ディスクが挿入された際に、前記光ディスクに記録されている種別情報及び前記記憶部に格納された前記接続情報を参照してこれらが外部との接続を示している際に、前記光ディスクに記録されたアドレス情報に従い前記通信回線上の配信サーバとの通信を行なう通信手段と、
前記通信手段の通信による前記配信サーバからの要求に応じて、ディスク認証のための認証情報を前記光ディスクの記憶領域から読み出して前記配信サーバに送信する認証情報送信手段と、
前記配信サーバにおける前記ディスク認証処理により拡張コンテンツの配信が許可されると、前記配信サーバから拡張コンテンツをダウンロードするダウンロード手段と、
前記ダウンロードにより入手した前記拡張コンテンツを前記光ディスクから読み出した映像又は音声情報に同期して再生出力する再生部と、
前記光ディスクが排出された際に、前記配信サーバとの接続状態を中断する中断手段と、を具備することを特徴とする光ディスク装置。
【請求項２】
前記認証情報送信手段が扱う認証情報は、ビデオコンテンツであることを特徴とする請求項１記載の光ディスク装置。
【請求項３】
光ディスクの処理方法であって、
通信回線を介して外部との接続を行うか否かを示す接続情報を記憶領域に格納し、
前記光ディスクを検出すると、前記光ディスクに記録されている種別情報及び前記接続情報を参照してこれらが外部との接続を示している際に、前記光ディスクに記録されたアドレス情報に従い前記通信回線上の配信サーバとの通信を行い、
前記配信サーバからの要求に応じて、ディスク認証のための認証情報と、タイトル特定のための管理情報を前記光ディスクの記憶領域から読み出して前記配信サーバに送信し、
前記配信サーバにおける前記タイトル特定処理及び前記ディスク認証処理により拡張コンテンツの配信が許可されると、前記配信サーバから拡張コンテンツをダウンロードし、
前記ダウンロードにより入手した前記拡張コンテンツを前記光ディスクから読み出した映像又は音声情報に同期して再生し、
前記光ディスクが排出された際に、前記配信サーバとの接続状態を中断するべく処理する光ディスク処理方法。
【請求項４】
前記認証情報は、ビデオコンテンツであることを特徴とする請求項３記載の光ディスク処理方法。
【発明の詳細な説明】
【技術分野】
【０００１】
この発明は光ディスク装置に関し、特にウェブコンテンツ配信サーバに接続される光ディスク装置と光ディスク装置の通信方法に関する。
【背景技術】
【０００２】
最近、ＤＶＤフォーラムから情報記録媒体に記録された映像・音声情報を再生する規格として、『ＤＶＤ Specifications for Read-Only Disc Part ３: VIDEO SPECIFICATIONS』が１９９６年８月に発行された。この規格では、実際の映像・音声データが記録されたプレゼンテーション・データとこれを管理するためのナビゲーション・データより構成される。プレゼンテーション・データはビデオデータ、オーディオデータ、サブピクチャデータが、ＭＰＥＧ２で定められたプログラムストリーム（２０４８bytes）の仕様に沿って多重化されている。又、ナビゲーション・データには、再生する映像・音声データの時間構成や順序を設定するＰＧＣ（ProGram Chain）とセルが記述されており、マルチアングル、マルチストーリー、パレンタルといった機能を実現している。
【０００３】
特許文献１は、これに関する従来技術として、ＤＶＤビデオタイトルとＨＴＭＬファイルとを融合させたサービスを行う画像表示装置が開示されている。この画像表示装置においては、ビデオオブジェクトユニットのナビパックからＵＲＬを取り出し、これに基づいてインターネットに接続して再生中のシーンに連動して表示することが示されている。
【特許文献１】特開平１１−１６１６６３号公報。
【発明の開示】
【発明が解決しようとする課題】
【０００４】
しかし、特許文献１においては、ＤＶＤビデオタイトルとＨＴＭＬコンテンツを並列して表示するのみであり、映像等の表現能力を十分もってはいないという問題がある。更に、配信された情報のセキュリティが不十分であり、アドレスが知れてしまうと不特定多数の人が利用できてしまうという問題がある。
【０００５】
本発明は、通信回線を介した拡張情報を高いセキュリティを保持しつつ利用することができる光ディスク装置と光ディスク処理方法を提供することを目的としている。
【課題を解決するための手段】
【０００６】
本発明は、光ディスクから映像又は音声情報を再生する光ディスク装置において、通信回線を介して外部との接続を行うか否かを示す接続情報を格納する記憶部と、前記光ディスクが挿入された際に、前記光ディスクに記録されている種別情報及び前記記憶部に格納された前記接続情報を参照してこれらが外部との接続を示している際に、前記光ディスクに記録されたアドレス情報に従い前記通信回線上の配信サーバとの通信を行なう通信手段と、前記通信手段の通信による前記配信サーバからの要求に応じて、ディスク認証のための認証情報を前記光ディスクの記憶領域から読み出して前記配信サーバに送信する認証情報送信手段と、前記配信サーバにおける前記ディスク認証処理により拡張コンテンツの配信が許可されると、前記配信サーバから拡張コンテンツをダウンロードするダウンロード手段と、前記ダウンロードにより入手した前記拡張コンテンツを前記光ディスクから読み出した映像又は音声情報に同期して再生出力する再生部と、前記光ディスクが排出された際に、前記配信サーバとの接続状態を中断する中断手段と、を具備することを特徴とする光ディスク装置である。
【発明の効果】
【０００７】
本発明に係る光ディスク装置においては、ネットワーク上の配信サーバからセキュリティを保持した状態で拡張コンテンツを取得することが可能となる。
【発明を実施するための最良の形態】
【０００８】
以下、図面を参照してこの発明の実施形態である光ディスク装置とこれが扱う光ディスクとを説明する。
【０００９】
＜本発明に係る光ディスク＞
最初に本発明に係る光ディスク装置が扱う光ディスクの一例について、以下に図面を用いて説明する。この光ディスクは、既存のＤＶＤビデオ規格との互換性を考慮しており、以下のようなデータ構造を有している。図２は、後述する図１が示す光ディスク装置であるＤＶＤビデオプレーヤがＤＶＤビデオディスクのデータ構造の一例を示す。
【００１０】
図２は、後述する図１に示される光ディスク装置であるＤＶＤビデオプレーヤが再生するＤＶＤビデオディスクのデータ構造の一例を示す。図２はエンハンスドＤＶＤビデオディスクであり、ＤＶＤビデオエリアに既存のＤＶＤビデオ規格と同じデータ構造のＤＶＤビデオコンテンツ（ＭＰＥＧ２プログラムストリーム構造を持つ）が格納され、このＤＶＤビデオ規格でも存在が認められている他の記録エリアに拡張情報であるエンハンスド・ナビゲーション（以下ＥＮＡＶと略記する）コンテンツを記録できるようになっている。ＥＮＡＶコンテンツは静止画、音声、アニメーション、マークアップ言語等の総称であり、ビデオコンテンツの再生をバラエティに富んだものにできる。なお、参考までに、図３に、ＤＶＤビデオエリアにＥＮＡＶコンテンツを有していないＤＶＤビデオディスクを示す。
【００１１】
ここで、ＤＶＤビデオエリアの内容を簡単に説明しておく。
【００１２】
すなわち、図２において、ＤＶＤビデオディスクｄの記録エリアは内周から順にリードインエリア１１、ボリュームスペース１２、及びリードアウトエリア１５を含んでいる。ボリュームスペースは、ボリューム／ファイル構造情報エリア１２及びＤＶＤビデオエリア（ＤＶＤビデオゾーン）１３を含み、更にオプションで他の記録エリア（ＤＶＤアザーゾーン）１４を含むことができるようになっている。
【００１３】
上記ボリューム／ファイル構造情報エリア１２は、ＵＤＦ（Universal Disk Format）ブリッジ構造のために割り当てられたエリアである。ＵＤＦブリッジフォーマットのボリュームは、ＩＳＯ／ＩＥＣ１３３４６のパート２に従って認識されるようになっている。このボリュームを認識するスペースは、連続したセクタからなり、図２、図３のボリュームスペースの最初の論理セクタから始まる。その最初の１６論理セクタは、ＩＳＯ９６６０で規定されるシステム使用のために予約されている。既存のＤＶＤビデオ規格との互換性を確保するには、このような内容のボリューム／ファイル構造情報エリアが必要となる。
【００１４】
又、上記ＤＶＤビデオエリアには、ビデオマネージャＶＭＧ１２という管理情報と、ビデオタイトルセットＶＴＳ（ＶＴＳ＃１〜ＶＴＳ＃ｎ）２２〜２３というビデオコンテンツが１以上記録されている。ＶＭＧ２１は、ＤＶＤビデオエリアに存在する全てのＶＴＳに対する管理情報であり、図示しないが、制御データＶＭＧＩ、ＶＭＧメニュー用データＶＭＧＭ＿ＶＯＢＳ（オプション）、及びＶＭＧのバックアップデータを含んでいる。又、各ＶＴＳは、図示しないが、そのＶＴＳの制御データＶＴＳＩ、ＶＴＳメニュー用データＶＴＳＭ＿ＶＯＢＳ（オプション）、そのＶＴＳ（タイトル）の内容（映画等）のデータＶＴＳＴＴ＿ＶＯＢＳ、及びＶＴＳＩのバックアップデータを含んでいる。既存のＤＶＤビデオ規格との互換性を確保するには、このような内容のＤＶＤビデオエリアも必要となる。
【００１５】
各タイトル（ＶＴＳ＃１〜ＶＴＳ＃ｎ）の再生選択メニュー等はＶＭＧを用いてプロバイダ（ＤＶＤビデオディスクの制作者）により予め与えられ、特定タイトル（例えばＶＴＳ＃１）内での再生チャプタ選択メニューや記録内容（セル）の再生手順等は、ＶＴＳＩを用いてプロバイダにより予め与えられている。従って、ディスクの視聴者（ＤＶＤビデオプレーヤのユーザ）は、予めプロバイダにより用意されたＶＭＧ／ＶＴＳＩのメニューやＶＴＳＩ内の再生制御情報（プログラムチェーン情報ＰＧＣＩ）に従ってそのディスクｄの記録内容を楽しむことができる。しかし、既存のＤＶＤビデオ規格では、視聴者（ユーザ）が、プロバイダが用意したＶＭＧ／ＶＴＳＩと異なる方法でＶＴＳの内容（映画や音楽）を再生することはできない。
【００１６】
本発明に係る光ディスクは、図２に示すようなエンハンスドＤＶＤビデオディスクであり、これにより、プロバイダが用意したＶＭＧ／ＶＴＳＩと異なる方法でＶＴＳの内容（映画や音楽）を再生したり、例えば、ＥＮＡＶコンテンツを再生したりすることができる。
【００１７】
すなわち、このディスクに含まれるＥＮＡＶコンテンツは、上述した他の記録エリア１４に設けられているものであり、一例として、マークアップ／スクリプト言語３１と、動画データ３２、静止画データ３３、音声データ３４とが設けられる。このようなＥＮＡＶコンテンツは、既存のＤＶＤビデオ規格のみに基づき製造されたＤＶＤビデオプレーヤではアクセスできないが（仮にアクセスできたとしてもその内容を利用できない）、本発明に係るＥＮＡＶ再生部を伴うＤＶＤビデオプレーヤ（図１に示した光ディスク装置Ａ等）ではアクセスすることができ、その再生内容を利用することができる。
【００１８】
（ＥＮＡＶコンテンツ）
ここで、ＥＮＡＶコンテンツは、音声、静止画、テキスト、動画等のデータと、これらの再生を制御するための情報（マークアップ／スクリプト言語で記述されている）を含むように構成されている。この再生を制御するための情報は、ＥＮＡＶコンテンツ（音声、静止画、テキスト、動画等から構成される）及び／又はＤＶＤビデオコンテンツの再生方法（表示方法、再生手順、再生切換手順、再生対象の選択等）がマークアップ言語やスクリプト言語を用いて記述されている。例えば、マークアップ言語であるＨＴＭＬ（Hyper Text Makeup Language）／ＸＨＴＭＬ（eXtensible Hyper Text Makeup Language）やＳＭＩＬ（Synchronized Multimedia Integration Language）、スクリプト言語であるＥＣＭＡ（European Computer Manufacturers Association）スクリプトやジャバ（Java）スクリプトなどを組み合わせながら用いることができる。
【００１９】
又、図２のエンハンスドＤＶＤビデオディスクは、他の記録エリア以外の内容は既存のＤＶＤビデオ規格に従っているため、既存のＤＶＤビデオプレーヤを用いても、ＤＶＤビデオエリアに記録されたビデオコンテンツを再生することができる。すなわち、エンハンスドＤＶＤビデオディスクを想定した光ディスク装置以前の機種との互換性を有している。
【００２０】
しかしながら、他の記録エリアに記録されたＥＮＡＶコンテンツは、既存のＤＶＤビデオプレーヤでは再生できない（又は利用できない）が、以下に詳述する図１に示される本発明に係る光ディスク装置では、再生し利用することができる。従って、本発明に係る光ディスク装置を用いてＥＮＡＶコンテンツを再生すれば、プロバイダが予め用意したＶＭＧ／ＶＴＳＩの内容だけに限定されることなく、ＥＮＡＶ規格に応じたよりバラエティに富んだ映像表現を活用することが可能となる。
【００２１】
本発明に係るエンハンスドＤＶＤビデオディスクである光ディスクｄにおいては、上述したＥＮＡＶコンテンツにインターネットを介して接続されるウェブコンテンツ配信サーバＳのアドレス情報や認証処理に用いられる情報を設けることにより、以下に述べるように、高いセキュリティを確保しながら、ディスク中の情報だけでなくこれに連動して通信回線を介したエンハンスド・ナビゲーションコンテンツを利用することができる。
【００２２】
なお、インターネットを介して接続されるウェブコンテンツ配信サーバＳのアドレス情報や認証処理に用いられる情報は、必ずしも上述したＥＮＡＶコンテンツに設けるものでなくとも、例えば、ＤＶＤビデオコンテンツのビデオ管理情報ＶＭＧ２１やビデオタイトルセットＶＴＳ２２の中に設けるものであってもよく、又、他の領域に設けるものであっても、以下に述べる本発明に係る光ディスク装置のアクセス動作や認証動作を可能とするものであれば、本発明の作用効果を発揮するものである。
【００２３】
＜本発明に係る光ディスク装置＞
次に、本発明に係る光ディスク装置を図面を用いて以下に詳細に説明する。図１は、本発明に係る光ディスク装置の構成の一例を示すブロック図、図４は、内部パラメータの一例を示す図、図５は、起動時の動作の一例を示すフローチャート、図６は、ウェブコンテンツを含むＥＮＡＶコンテンツの再生処理の一例を示すフローチャート、図７は、本発明に係る光ディスク装置が扱うＥＮＡＶコンテンツの構成の一例を示す図、図８は、ウェブコンテンツの再生処理の一例を示すフローチャート、図９は、本発明に係る光ディスク装置が行う光ディスクのコンテンツとウェブからのＥＮＡＶコンテンツとの表示の一例を示す説明図、図１０は、本発明に係る光ディスク装置が扱うウェブコンテンツの構成の一例を示す図、図１１は、本発明に係る光ディスク装置によるデータベースサーバを介するウェブコンテンツ配信サーバへの接続を説明する図、図１２は、ウェブコンテンツ配信サーバとの通信の一例を示すフローチャート、図１３は、ＥＮＡＶコンテンツの暗号・復号処理を説明する説明図、図１４は、光ディスクの排出処理の一例を示すフローチャート、図１５は、コントローラの一例を示す図である。
【００２４】
本発明に係る光ディスク装置は、上述したＥＮＡＶコンテンツを有する光ディスクを再生しながら、エンハンスド・ナビゲーションコンテンツに基づきインターネットを介してサーバから拡張情報であるＥＮＡＶコンテンツを取得し再生するものである。これにより、既存のＤＶＤコンテンツの再生だけではなく、ディスク中のＥＮＡＶコンテンツと取得したＥＮＡＶコンテンツとを選択的に再生することで、多彩な再生処理を行うことが可能となる。又、認証処理を伴うことにより高いセキュリティを確保できるので、ディスクを有する場合だけに限定した付加価値の高いＥＮＡＶコンテンツの配信が可能となる。更に個人認証を行うことで、例えば、インターネットを経由した商取引が容易となる。
【００２５】
（光ディスク装置の構成）
本発明に係る光ディスク装置の構成を図１を用いて詳細に説明する。本発明に係る光ディスク装置Ａは、図２に示した“既存のＤＶＤビデオ規格と互換性を持った”エンハンスドＤＶＤビデオディスクからその記録内容（ＤＶＤビデオコンテンツ及び／又はＥＮＡＶコンテンツ）を再生し処理するものであり、又、インターネット等の通信回線から拡張情報であるＥＮＡＶコンテンツ（これをウェブコンテンツと呼ぶ）を取り込み処理するものである。
【００２６】
・概要
本発明に係る光ディスク装置Ａの構成の一例は、図１に示すように、光ディスクを装填して所定回転数で回転し光ピックアップにてレーザを照射し反射光を受光してディスクｄに記録されたＤＶＤビデオコンテンツ及び／又はＥＮＡＶコンテンツを検出するディスク検出部６１と、ディスクｄ上に記録されたＭＰＥＧ２プログラムストリーム（ＤＶＤビデオコンテンツ）を再生し処理するためのＤＶＤビデオ再生部Ｒと、ＥＮＡＶコンテンツを再生するためのＥＮＡＶ再生部Ｅと、ユーザからの操作情報を外部のリモコン１０１も含めて入力するユーザ操作部５３と、インターネット等の通信回線Ｉに接続しウェブコンテンツ配信サーバＳ等からコンテンツ等を取得するためのインターネット通信部６２とに、分けることができ、以下に各部の詳細を説明する。
【００２７】
又、図１のブロック構成において、ＤＶＤビデオ再生制御部５２、又、ＥＮＡＶ再生部Ｅに含まれるユーザイベント制御部５４、ＥＮＡＶインターフェース部５５、ＥＮＡＶ解釈部５６、バッファ部５７等は、図示しない組込プログラム（ファームウエア）により各ブロック構成の機能を果たすマイクロコンピュータ（及び／又はハードウエアロジック）により実現することもできる。このファームウエアを実行する際に使用するワークエリアは、各ブロック構成内の図示しない半導体メモリ（及び必要に応じてハードディスク）を用いて得ることができる。
【００２８】
本発明に係る光ディスク装置Ａが扱う光ディスクは、先に図２に示したディスクｄであり、ＭＰＥＧ２プログラムストリーム構造を持つＤＶＤビデオコンテンツと、ＭＰＥＧ２プログラムストリーム構造以外の情報（動画、静止画、アニメーション等の映像情報、音声情報、テキスト情報、リンク情報等）を含むＥＮＡＶコンテンツが記録されている。又、インターネット等から取得した映像情報、音声情報、テキスト情報、リンク情報等から成るウェブコンテンツも、ＥＮＡＶコンテンツとして光ディスク装置に取り込まれる。
【００２９】
・ＤＶＤビデオ再生部
ＤＶＤビデオ再生部Ｒは、既存のＤＶＤビデオ規格に基づくＤＶＤビデオコンテンツを再生するための構成であり、ディスク検出部６１より読み込んだＤＶＤビデオコンテンツをデコードするデコーダ部５１及びＤＶＤビデオコンテンツの再生制御を行うＤＶＤビデオ再生制御部５２を含んで構成される。
【００３０】
デコーダ部５１は、既存のＤＶＤビデオ規格に基づく映像データ、音声データ、及び副映像データをそれぞれデコードし、デコードされた映像・音声データを出力する機能を持っている。これにより、ＤＶＤビデオ再生部Ｒは、既存のＤＶＤビデオ規格に基づいて製造される通常のＤＶＤビデオプレーヤの再生エンジンと同じ機能を持つようになる。つまり、図１に示した光ディスク装置Ａは、ＭＰＥＧ２プログラムストリーム構造を持つ映像、音声等を通常のＤＶＤビデオプレーヤと同様に再生することができ、これにより既存のＤＶＤビデオディスク（既存のＤＶＤビデオ規格に則ったディスク）の再生が可能となる。
【００３１】
ＤＶＤビデオ再生制御部５２は、ＥＮＡＶ再生部Ｅから出力される“ＤＶＤ制御信号”に応じて、ＤＶＤビデオコンテンツの再生を制御することもできるように構成されている。具体的には、ＤＶＤビデオ再生制御部５２は、ＤＶＤビデオ再生時に、あるイベント（例えばメニューコールやタイトルジャンプ）が発生した際に、ＥＮＡＶ再生部Ｅに対して、ＤＶＤビデオコンテンツの再生状況を示す“ＤＶＤイベント信号”を出力することができる。その際（ＤＶＤイベント信号の出力と同時に、又はその前後の適当なタイミングで）、ＤＶＤビデオ再生制御部５２は、ＤＶＤビデオプレーヤのプロパティ情報（例えばプレーヤに設定されている音声言語、副映像字幕言語、再生動作、再生位置情報、時間情報、ディスクの内容等）を示す“ＤＶＤステータス信号”をＥＮＡＶ再生部Ｅに出力することができる。
【００３２】
・ＥＮＡＶ再生部
ＥＮＡＶ再生部Ｅは、ユーザイベント制御部５４と、ＥＮＡＶインターフェース部５５と、ＥＮＡＶ解釈部５６と、エレメントデコーダ５８と、映像・音声出力制御部５９を含んで構成されている。ここで、ユーザイベント制御部５４は、ＤＶＤビデオ再生装置のユーザ操作（ユーザオペレーション）に対応したユーザイベントを生成するものである。ＥＮＡＶ解釈部５６（言語解釈部）は、ＥＮＡＶコンテンツに含まれる再生制御情報の内容を構文解析し、解釈するものである。ＥＮＡＶインターフェース部５５（情報処理部）は、ＥＮＡＶ解釈部５６で構文解析し、解釈された再生制御情報に含まれるコマンド（ＥＮＡＶコマンド）を実行するものである。エレメントデコーダ５８は、ＥＮＡＶコンテンツに含まれるその他のコンテンツ（音声、静止画、テキスト、動画等のデータ）に対応した映像・音声データを生成するものである。出力部（映像・音声出力制御部５９）は、ＥＮＡＶインターフェース部５５におけるＥＮＡＶコマンドの実行結果に基づいて、エレメントデコーダ５８で生成された映像・音声データをＤＶＤビデオ再生部Ｒで再生された映像・音声データに合成して出力し、又はＤＶＤコンテンツの映像・音声データと映像・音声データとの一方を選択して出力するものである。
【００３３】
以下、各部について、より詳細に説明する．
・バッファ部
バッファ部５７は、ディスク検出部６１が検出したディスクｄの情報、又は後述するインターネット通信部６２から取り込んだＥＮＡＶコンテンツを一旦格納し、ＥＮＡＶ解釈部５６又はエレメントデコーダ５８に送る。ＥＮＡＶコンテンツをバッファ部５７に取り込むことにより、ＤＶＤビデオコンテンツとＥＮＡＶコンテンツを同時に再生する際でも、ＤＶＤビデオコンテンツのシームレス再生を実現することができる。そうでなければ、ディスク検出部６１はディスクｄ内のＤＶＤビデオコンテンツとＥＮＡＶコンテンツをそれぞれ高速にアクセスする必要があり、シームレス再生が難しくなる。
【００３４】
・ユーザイベント制御部
ユーザイベント制御部５４は、ユーザオペレーションに基づく制御を行うためのもので、ユーザ操作（メニューコール、タイトルジャンプ、再生スタート、再生停止、再生ポーズ、その他）に対応したユーザイベントをユーザ操作部５３から受け取り、又はユーザイベント制御信号をＥＮＡＶインターフェース部５５から受け取って、ユーザ操作又はユーザイベント制御信号の内容に対応したユーザイベント（ａ）〜（ｃ）を発生するように構成されている。
【００３５】
ここで、ユーザイベント制御部５４は、ＥＮＡＶインターフェース部５５より出力された“ユーザイベント制御信号”に基づき、ユーザオペレーションによって伝達されたユーザイベント信号を、
（１）  ＤＶＤビデオ再生部ＲのＤＶＤビデオ再生制御部５２に伝達したり（ユーザイベント信号（ａ））、
（２）  伝達を禁止（“Ｘ”）したり（ユーザイベント信号（ｂ））、
（３）  ＥＮＡＶインターフェース部５５に伝達したり（ユーザイベント信号（ｃ））する。
【００３６】
このとき、上記ユーザイベント信号の伝達には以下に示すような制御が行なわれる。  
（１１）  ＤＶＤビデオ再生部Ｒの映像を出力する場合（フルビデオモード）において、ユーザイベント信号（ａ）はＤＶＤビデオ再生部Ｒに直接出力される。これは、フルビデオモードにおけるユーザオペレーションが通常のＤＶＤビデオ再生時のものと同じものであるからである。
【００３７】
（１２）  ＥＮＡＶ再生部Ｅの映像を出力する場合（フルＥＮＡＶモード）、又はＤＶＤビデオ再生部Ｒの映像とＥＮＡＶ再生部Ｅの映像とを合成して同時に出力する場合（ミクスドフレームモード）においては、以下のような制御が行なわれる。
【００３８】
（１２１）  ユーザイベント信号がＥＮＡＶインターフェース部５５に出力されると（ユーザイベント信号（ｃ））、ＥＮＡＶインターフェース部５５は、そのイベント（メニューコール等）に対応するファンクション・コールを、ＤＶＤ制御信号として、ＤＶＤビデオ再生部ＲのＤＶＤビデオ再生制御部５２に出力する。
【００３９】
（１２２）  ユーザイベントをＤＶＤビデオ再生部ＲとＥＮＡＶインターフェース部５５の両方に同時に出力する（ユーザイベント信号（ａ）とユーザイベント信号（ｃ））。
【００４０】
（１２３）  システムが意図しないＤＶＤビデオの再生（例えば現在稼働中のＤＶＤビデオ再生部Ｒで対応できない再生方法であったり、現在のＤＶＤ規格で定められているユーザオペレーションコントロールＵＯＰによって操作が禁止されたもの）が行われる可能性がある場合、ユーザイベント信号の伝達をブロック（禁止又は阻止）する（ユーザイベント信号（ｂ）の“Ｘ”）。
【００４１】
なお、ＥＮＡＶインターフェース部５５に伝達されたユーザイベント信号（ｃ）の内容は、ＥＮＡＶイベント（及び／又はＥＮＡＶプロパティ）の形で、適宜、ＥＮＡＶ解釈部５６に送るように構成することもできる。すると、ＥＮＡＶ解釈部５６は、ユーザイベント信号（ｃ）の内容を参照してレイアウト制御信号を作成することができるようになる。
【００４２】
例えば、図１５に示すリモコン１０１のカーソルキー１０７でコンテンツ又はウインドウサイズを変更したりその表示位置をシフトさせる操作をした場合に、この操作をユーザイベント信号（ｃ）としてユーザイベント制御部５４からＥＮＡＶインターフェース部５５に送り、それを対応するＥＮＡＶイベント（ウインドウサイズ変更イベント等）及び／又はＥＮＡＶプロパティ（変更後のウインドウサイズを示す変数／パラメータ等）に変換し、それを対応するレイアウト制御信号に変換して、映像出力制御部５９に送ることができる。
【００４３】
ここで、リモコン１０１は、ユーザ操作部５３にユーザからの操作信号等を供給するものであり、その一例として、図１５に示すように、パワースイッチと出力モード選択スイッチ等１０２と、入力キー１０３、停止、スキャン、再生、スキャン、録画（録画機能がある場合）、一時停止キー等の操作スイッチ１０４、出力信号が生成する画面上のカーソルを操作するカーソルキー１０７、決定キー１０６と、解除キー１０５とを有しており、個人認証等を可能にする着脱可能な記録媒体であるＩＣカード１０８を装着し、情報を読み出し書き込むことが可能となる。
【００４４】
又、このＩＣカード１０８は、図１に示すように、ＩＣカードインターフェース６３を光ディスク装置の本体に設けて、ここから個人認証等のための情報の読み書きを行うものであってもよい。
【００４５】
・ＥＮＡＶインターフェース部
ＥＮＡＶインターフェース部５５は、ＤＶＤビデオ再生制御部５２との間でＤＶＤステータス信号、ＤＶＤイベント信号及び／又はＤＶＤ制御信号の送受信を行い、又はユーザイベント制御部５４との間でユーザイベント及び／又はユーザイベント制御信号の送受信を行う。ＥＮＡＶインターフェース部５５は、更に、ＥＮＡＶ解釈部５６とＥＮＡＶイベント、ＥＮＡＶプロパティ及び／又はＥＮＡＶコマンドの送受信を行うように構成されている。すなわち、ＥＮＡＶインターフェース部５５は、入力されたＤＶＤステータス信号をＥＮＡＶプロパティとして出力し、入力されたＤＶＤイベント信号をＥＮＡＶイベント信号として出力し、又は入力されたＥＮＡＶコマンドを対応するＤＶＤ制御信号に変換して出力することで、ＤＶＤビデオ再生部ＲとＥＮＡＶ再生部Ｅとの間のインターフェースの役割を担うように構成されている。そして、ＥＮＡＶインターフェース部５５は、ＤＶＤビデオ再生制御部５２からのＤＶＤステータス信号やＤＶＤイベント信号、ユーザイベント制御部５４からのユーザイベント、及び／又はＥＮＡＶ解釈部５６からのＥＮＡＶコマンドの内容に応じて、映像及び／又は音声の出力状態を制御する信号を、映像・音声出力制御部５９に送るようになっている。
【００４６】
又、ＥＮＡＶインターフェース部５５は、信号の交換に注目すると、ＥＮＡＶ解釈部５６で解釈された内容（コマンド）又は入力装置からのユーザイベントに基づいて、ＤＶＤビデオ再生制御部５２との間でＤＶＤビデオディスクの再生状況に関する第１信号（ＤＶＤ制御信号、ＤＶＤイベント信号、ＤＶＤステータス信号）の交換を行うとともに、ＥＮＡＶ解釈部５６との間でＥＮＡＶコンテンツの内容（スクリプト）に関する第２信号（ＥＮＡＶイベント、ＥＮＡＶコマンド、ＥＮＡＶプロパティ）の交換を行うように構成され、交換された第１信号及び第２信号の少なくとも一方に基づいて、映像・音声出力制御部５９による信号出力状態を制御するものである。
【００４７】
信号処理に言及すれば、ＥＮＡＶインターフェース部５５は、ＥＮＡＶコンテンツを解釈してから、ＤＶＤビデオ再生部ＲとＥＮＡＶ再生部Ｅとの間で制御信号等の変換を行う。具体的には、処理部は例えば以下のような信号出力／信号変換を行う。  
＜イ＞ＥＮＡＶコンテンツを解釈してから、（ａ）ユーザ操作部５３より入力されたユーザオペレーションに対応するユーザイベントを制御するための“ユーザイベント制御信号”、（ｂ）ＤＶＤビデオ再生部ＲにおけるＤＶＤビデオコンテンツの再生を制御する“ＤＶＤ制御信号”、及び／又は（ｃ）ＤＶＤビデオ再生部Ｒからの映像・音声出力とＥＮＡＶ再生部Ｅからの映像・音声出力を切り換えるための“映像・音声出力制御信号”を出力する。又、
＜ロ＞ＤＶＤビデオ再生部Ｒから送られてくるＤＶＤビデオコンテンツの再生状況を示す“ＤＶＤイベント信号”の内容（メニューコールなのか、タイトルジャンプなのか等）を解釈し、解釈したＤＶＤイベント信号の内容を、ＥＮＡＶコンテンツにおいて定義されている対応イベント信号に変換する（例えばメニューコールのＤＶＤイベント信号をＥＮＡＶにおけるメニューコールのイベント信号に変換する）。  
＜ハ＞ＤＶＤビデオ再生部Ｒから送られてくるＤＶＤビデオプレーヤのプロパティを示す“ＤＶＤステータス信号”の内容（音声言語が何語なのか、現在ディスク再生動作中なのか等）を解釈し、ＥＮＡＶコンテンツにおいて定義されている対応プロパティ信号に変換する（例えば現在使用中の音声言語が日本語であることを示すＤＶＤステータス信号を、ＥＮＡＶでの使用言語を日本語に指定するプロパティ信号に変換する）。
【００４８】
・ＥＮＡＶ解釈部
ＥＮＡＶ解釈部５６は、概括的に言えば、ＤＶＤビデオディスクから得たＥＮＡＶコンテンツ又はインターネット等から得たＥＮＡＶコンテンツに含まれる再生制御情報の構文解析を行いその解釈を行なって、ＥＮＡＶ再生部Ｅを動かす機能を持っている。この再生制御情報に用いられる言語としては、前述したＨＴＭＬ／ＸＨＴＭＬやＳＭＩＬといったマークアップ言語を用いてもよいし、又は前述のマークアップ言語とともにＥＣＭＡＳｃｒｉｐｔやＪａｖａＳｃｒｉｐｔのようなスクリプト言語を用いてもよい。
【００４９】
マークアップやスクリプトの構文解析及びその解釈を行う具体的な方法は、例えばＨＴＭＬ／ＸＨＴＭＬやＳＭＩＬ又はＥＣＭＡＳｃｒｉｐｔやＪａｖａＳｃｒｉｐｔのような公知技術における構文解析・解釈と同様な手法でよい（使用するハードウエアは図１の説明の冒頭で述べたマイクロコンピュータ）。ただしスクリプト中に記載されるコマンドや変数については、制御対象が異なるので違いが生じる。この発明を実施する際に用いる再生制御情報では、ＤＶＤビデオディスク及び／又はＥＮＡＶコンテンツの再生に関連した特有のコマンドや変数が用いられる。例えば、あるイベントに応答してＤＶＤビデオ又はＥＮＡＶコンテンツの再生内容を切り換えるといったコマンドは、再生制御情報におけるマークアップやスクリプトに特有のものとなっている。
【００５０】
再生制御情報におけるマークアップやスクリプトに特有なコマンドや変数の他例として、ＤＶＤビデオ再生部Ｒ及び／又はＥＮＡＶ再生部Ｅからの映像の大きさを変更（サイズ変更を命令するコマンドと変更後のサイズを指定する変数）したり、その配置を変えたりするもの（表示位置の変更を命令するコマンドと変更後の座標等を指定する変数：表示対象が画面上でオーバーラッピングするときは、重なりの上下位置関係を指定する変数も加わる）がある。又は、ＤＶＤビデオ再生部Ｒ及び／又はＥＮＡＶ再生部Ｅからの音声レベルを変えたり（音声レベルの変更を命令するコマンドと変更後の音声レベルを指定する変数）、使用音声言語を選択するもの（使用音声言語の変更を命令するコマンドと変更後の言語の種類を指定する変数）もある。又、ユーザイベント制御部５４においてユーザイベントを制御する（ユーザイベント信号（ａ）とユーザイベント信号（ｂ）とユーザイベント信号（ｃ）の切り換え）ものもある。
【００５１】
上記で例示したような再生制御情報のマークアップやスクリプトのコマンド／変数に基づいて、図示しない外部モニタ装置等で表示すべき映像の画面上のレイアウト、映像のサイズ、映像の出力タイミング、映像の出力時間、及び／又は図示しない外部スピーカから再生すべき音声の音量レベル、音声の出力タイミング、音声の出力時間を制御する“レイアウト制御信号”が、ＥＮＡＶ解釈部５６から映像・音声出力制御部５９に送られるようになっている。
【００５２】
・エレメントデコーダ
エレメントデコーダ５８は、ＥＮＡＶコンテンツに含まれる音声、静止画、テキスト、動画等のデータをデコードするもので、デコード対象に対応して音声デコーダ、静止画デコーダ、テキストデコーダ、及び動画デコーダを含んでいる。例えばＭＰＥＧ１でエンコードされたＥＮＡＶコンテンツ中の音声データは音声デコーダによりデコードされて非圧縮の音声データに変換される。又、ＭＰＥＧ又はＪＰＥＧでエンコードされた静止画データは静止画デコーダによりデコードされて非圧縮の画像データに変換される。同様に、例えばＭＰＥＧ２でエンコードされた動画データは動画デコーダによりデコードされて非圧縮の動画データに変換される。又、ＥＮＡＶコンテンツに含まれるテキストデータはテキストデコーダによりデコードされて、動画又は静止画の画像にスーパーインポーズ可能なテキスト画像データに変換される。これらデコードされた音声データ、画像データ、動画データ、及びテキスト画像データを適宜含む映像・音声データは、エレメントデコーダ５８から映像・音声出力制御部５９に送られる。
【００５３】
・映像・音声出力制御部
映像・音声出力制御部５９は、エレメントデコーダ５８によりデコードされた映像・音声データと、ＤＶＤビデオ再生部Ｒから出力される映像・音声データを切り換え選択し、又は両者を適宜合成したりするもので、映像出力制御部及び音声出力制御部を含んで構成されている。
【００５４】
映像出力制御部５９は、ＤＶＤビデオ再生部Ｒからの映像又はＥＮＡＶ再生部Ｅからの映像を選択する機能と、それぞれの映像の大きさ変更及び／又は配置の移動を行い、両方の映像を同時に出力する機能を持つ。具体的には、デジタル映像ミキサ・スイッチャ等により構成できる。
【００５５】
ＥＮＡＶ再生部Ｅにおける映像出力制御部５９は、ＥＮＡＶインターフェース部５５から出力される“映像・音声出力制御信号”、及び／又はＥＮＡＶ解釈部５６から出力される“レイアウト制御信号”に基づいて、ＤＶＤビデオ再生部Ｒからの映像を出力（フルビデオモード）するか、ＥＮＡＶ再生部Ｅからの映像を出力（フルＥＮＡＶモード）するか、又はＤＶＤビデオ再生部Ｒからの映像とＥＮＡＶ再生部Ｅからの映像の両方を合成して出力（ミクスドフレームモード）するかの、いずれかを行うように構成される。
【００５６】
又、映像出力制御部５９の機能として、
（１）ＤＶＤビデオ再生部Ｒからのみ映像が出力されておりＥＮＡＶ再生部Ｅの映像が出力されない場合はＤＶＤビデオ再生部Ｒの映像出力をＤＶＤビデオプレーヤの映像として選択したり、
（２）ＥＮＡＶ再生部Ｅからのみ映像が出力されておりＤＶＤビデオ再生部Ｒの映像が出力されない場合はＥＮＡＶ再生部Ｅの映像出力をＤＶＤビデオプレーヤの映像として選択したり、
（３）ユーザ操作部５３よりユーザが選択した出力方法に従ってＤＶＤビデオ再生部Ｒの映像出力及び／又はＥＮＡＶ再生部Ｅの映像出力を切り換え選択する機能も有している。
【００５７】
更に、レイアウト制御信号にて、指定されたタイミングで映像の出力を開始・終了したり、指定された時間だけ映像の出力を継続したり、指定された位置（例えばチャプタ番号や時間情報）から映像の出力を行ったりすることができる。
【００５８】
又、音声出力制御部５９は、ＤＶＤビデオ再生部Ｒからの音声、又はＥＮＡＶ再生部Ｅからの音声を選択する機能と、それぞれの音声の音量レベル変更及び／又はミキシングを行い、両方の音声を合成したものを出力する機能を持つ。具体的には、デジタル音声ミキサ・スイッチャ等により構成されている。
【００５９】
すなわち、音声出力制御部５９は、ＥＮＡＶインターフェース部５５から出力される“映像・音声出力制御信号”、及び／又はＥＮＡＶ解釈部５６から出力される“レイアウト制御信号”に基づいて、ＤＶＤビデオ再生部Ｒからの音声出力、ＥＮＡＶ再生部Ｅからの音声出力、又はＤＶＤビデオ再生部Ｒからの音声とＥＮＡＶ再生部Ｅからの音声の両方を合成して出力するかの、いずれかを行うように構成される。例えば、音声出力制御部５９は、ＤＶＤビデオ再生部Ｒからの音声とＥＮＡＶ再生部Ｅからの音声の両方を合成して出力する場合には、ＥＮＡＶコンテンツの記述に従って、各々の音声のレベルを調整しミキシングして、音声データの出力を行う。
【００６０】
又、音声出力制御部５９の機能として、
（１）ＤＶＤビデオ再生部Ｒからのみ音声が出力されておりＥＮＡＶ再生部Ｅの音声が出力されない場合はＤＶＤビデオ再生部Ｒの音声出力をＤＶＤビデオプレーヤの音声データとして選択したり、
（２）ＥＮＡＶ再生部Ｅからのみ音声が出力されておりＤＶＤビデオ再生部Ｒの音声が出力されない場合はＥＮＡＶ再生部Ｅの音声出力をＤＶＤビデオプレーヤの音声データとして選択したり、
（３）ユーザ操作部５３よりユーザが選択した出力方法に従ってＤＶＤビデオ再生部Ｒの音声出力及び／又はＥＮＡＶ再生部Ｅの音声出力を切り換え選択する機能も有している。
【００６１】
更に、レイアウト制御信号にて、指定されたタイミングで音声の出力を開始・終了したり、指定された時間だけ音声の出力を継続したり、指定された位置（例えばチャプタ番号や時間情報）から音声の出力を行ったりすることができる。
【００６２】
・インターフェース
インターネット通信部６２は、インターネット等の通信回線からＥＮＡＶコンテンツを受け取り、受け取ったコンテンツ中の再生制御情報をバッファ部５７を介してＥＮＡＶ解釈部５６に送るためのインターフェースであり、更に、受け取ったＥＮＡＶコンテンツ中のデータ（音声データ、静止画データ、テキストデータ、動画データ等）をバッファ部５７を介してエレメントデコーダ５８に送る。
【００６３】
更に、バッファ部５７が有するインターフェース機能として、ＥＮＡＶ再生部Ｅは、ＤＶＤビデオディスクから読み取られたＥＮＡＶコンテンツ中の再生制御情報をバッファ部５７を介してＥＮＡＶ解釈部５６に送り、及び、読み取られたＥＮＡＶコンテンツ中のデータ（音声データ、静止画データ、テキストデータ、動画データ等）をバッファ部５７を介してエレメントデコーダ５８に送るためのインターフェース機能を有している。
【００６４】
・動作モードの設定
本発明に係る光ディスク装置Ａにおいては、図４に示すように、エンハンスドＤＶＤ再生機能及びインターネット接続機能を選択するか否かの動作モードを設定するべく、プレーヤ構成情報のパラメータを拡張するものである。図４の（ａ）はエンハンスドＤＶＤ対応プレーヤであり（ｂ）はエンハンスドＤＶＤ対応プレーヤでありインターネット接続機能を有しており、それぞれの機能の選択が動作モードとして、拡張されたプレーヤ構成情報のパラメータの変更により設定が可能である。
【００６５】
すなわち、本発明に係る光ディスク装置Ａは、図２に示すエンハンスドＤＶＤビデオディスクと、図３に示す既存のＤＶＤビデオディスクとの再生が可能である。このため、図２に示すエンハンスドＤＶＤビデオディスクを再生する場合、エンハンスドＤＶＤビデオディスクとしてＤＶＤビデオコンテンツとＥＮＡＶコンテンツの両方を再生することも、ＤＶＤビデオディスクとしてＤＶＤビデオコンテンツのみを再生することもできる。これは、ユーザが選択する場合や、機器が選択する場合が考えられる。
【００６６】
そこで、既存のＤＶＤビデオプレーヤにおいては、予約領域として無効であったプレーヤ内部に保持されるプレーヤ構成情報を示すパラメータ（Ｐ＿ＣＦＧ）を拡張してＰ＿ＣＦＧ＿ＥＮＡＶとし、エンハンスドＤＶＤビデオディスクを再生する場合、エンハンスドＤＶＤビデオディスクとして再生するか（ＥＮＡＶコンテンツの再生情報をもとに再生）、ＤＶＤビデオディスクとして再生するか（ＤＶＤコンテンツの管理情報をもとに再生）の動作モードを設定することができる。
【００６７】
例えば、
Ｐ＿ＣＦＧ＿ＥＮＡＶ＝  ０ｂ：ＤＶＤビデオディスク再生
１ｂ：エンハンスドＤＶＤビデオディスク再生
のように設定する。エンハンスドＤＶＤビデオが再生できない（ＥＮＡＶコンテンツが再生できない）既存のプレーヤでは、この値は予約領域を表す０ｂがすでに設定されている。図４の（ａ）や（ｂ）に示すように、エンハンスドＤＶＤビデオが再生できる（ＥＮＡＶコンテンツが再生できる）プレーヤは、ＤＶＤビデオディスクとして再生することを表す“０ｂ”、又はエンハンスドＤＶＤビデオディスクとして再生する“１ｂ”のいずれかを設定することができる。この値は、ユーザが好みに応じて、プレーヤのもつ機器設定メニュー等を用いて設定した値を、Ｐ＿ＣＦＧ＿ＥＮＡＶとして反映させる。又は、プレーヤが自動的にＰ＿ＣＤＧ＿ＥＮＡＶの値を切り換えても良い。
【００６８】
又、本発明に係る光ディスク装置Ａは、インターネット通信部６２を備え、専用のサーバからＥＮＡＶコンテンツをバッファ部５７ダウンロードし、ＥＮＡＶコンテンツを再生（デコード）することが可能である。このとき、動作モードとして、インターネットに接続するか否かを選択させるべく、プレーヤ内部に保持されるプレーヤ構成情報を示すパラメータ（Ｐ＿ＣＦＧ）を拡張してＰ＿ＣＦＧ＿ＷＥＢとし、インターネット接続を行うか否か、又はインターネット接続機能があるか否かの判別を行うことができる。
【００６９】
例えば、
Ｐ＿ＣＦＧ＿ＷＥＢ＝  ０ｂ：インターネット接続なし
１ｂ：インターネット接続あり
のように設定する。図４の（ａ）に示すように、インターネット接続機能をもたないエンハンスドＤＶＤ対応プレーヤでは、この値は予約領域を表す“０ｂ”が未使用領域としてすでに設定されており、（ｂ）に示すように、インターネット接続機能をもつエンハンスドＤＶＤ対応プレーヤは、インターネット接続なしを表す“０ｂ”、又はインターネット接続ありを表す“１ｂ”のいずれかを設定することができる。（ｂ）に示すインターネット接続機能をもつエンハンスドＤＶＤ対応プレーヤこの場合、Ｐ＿ＣＦＧ＿ＷＥＢの値はプレーヤが自動的に値を設定することも可能であり、ユーザが手動で値を設定することも可能である。例えば、ユーザがネットワークの状況を判別し、プレーヤのもつ機器設定メニュー等でインターネット接続を行う／行わないを選択し、これをＰ＿ＣＦＧ＿ＷＥＢの値に反映させる。又は、プレーヤが自動的にネットワークの状況を判別し、Ｐ＿ＣＦＧ＿ＷＥＢの値を自動的に切り換える。これは、接続先のサーバに何らかの理由で接続が出来ない場合（接続先のサーバが起動していないなど）に有効である。
【００７０】
（光ディスク装置の動作）
本発明に係る光ディスク装置は、以上のような構成を有しており、このような構成を有する光ディスク装置の各動作について、以下に複数のフローチャートを用いてそれぞれ詳細に説明する。
【００７１】
・起動時の動作
本発明に係る光ディスク装置Ａの起動時の動作を、図５のフローチャートを用いて詳細に説明する。図５のフローチャートにおいて、まず、ＤＶＤビデオプレーヤが起動しディスクが挿入されると（Ｓ１０）、プレーヤはプレーヤの内部に保持されているプレーヤ構成情報を示すパラメータのうち、インターネット接続を行うか否かを表すパラメータ（Ｐ＿ＣＦＧ＿ＷＥＢ）の値を参照する（Ｓ１１）。
【００７２】
なお、ここで、本発明に係る光ディスク装置Ａにおいては、初期動作モードを設定する段階で、インターネット接続を行うか否かの動作モードを設定することにより、上記のパラメータを変更するものである。更に、インターネット接続は、接続操作があるたびに一時的に行う一時接続モードと、電源が投入されると、接続を行いこの接続状態が継続して行われる常時接続モードとが設けられており、ユーザは自由にこれを選択することができるものである。
【００７３】
このとき、Ｐ＿ＣＦＧ＿ＷＥＢ＝０ｂの場合、挿入されたディスクがＤＶＤビデオディスクか、エンハンスドＤＶＤビデオディスクかを判別する（Ｓ１６）。図２及び図３に示すように、ＤＶＤビデオディスクはＤＶＤビデオエリアのＤＶＤビデオコンテンツのみ存在し、エンハンスドＤＶＤビデオディスクは、ＤＶＤビデオコンテンツと他の記録エリアのＥＮＡＶコンテンツが存在する。
【００７４】
判別した結果、ＤＶＤビデオディスクの場合は、既存のＤＶＤビデオプレーヤと同じように、ＤＶＤビデオディスク内の管理情報を読み込み、その管理情報の中のファースト・プレイＰＧＣに従って再生を開始する（Ｓ１７）。
【００７５】
判別した結果、エンハンスドＤＶＤビデオディスクの場合は、ＤＶＤビデオプレーヤの内部に保持されているプレーヤ構成情報を示すパラメータのうち、ＤＶＤビデオディスクとして再生するか、エンハンスドＤＶＤビデオディスクとして再生するかを表すパラメータ（Ｐ＿ＣＦＧ＿ＥＮＡＶ）の値を参照する（Ｓ１８）。
【００７６】
このとき、Ｐ＿ＣＦＧ＿ＥＮＡＶ＝０ｂのとき、つまりＤＶＤビデオディスクとして再生する場合（Ｓ１７）、前述のように既存のＤＶＤビデオプレーヤと同じように、ＤＶＤビデオディスク内の管理情報を読み込み、その管理情報の中のファーストプレイＰＧＣに従って再生を開始する。
【００７７】
Ｐ＿ＣＦＧ＿ＥＮＡＶ＝１ｂのとき、つまりエンハンスドＤＶＤビデオディスクとして再生する場合（Ｓ１９）、エンハンスドＤＶＤビデオディスク内のあらかじめ決められた起動ファイル（例えば、ＤＶＤ＿ＥＮＡＶディレクトリの直下にあるｉｎｄｅｘ．ｈｔｍファイルやｉｎｄｅｘ．ｓｍｌといったファイル）に従って再生する。
【００７８】
一方、ステップＳ１１において、Ｐ＿ＣＦＧ＿ＷＥＢ＝１ｂの場合も同様に、まずは挿入されたディスクがＤＶＤビデオディスクか、エンハンスドＤＶＤビデオディスクかを判別する（Ｓ１２）。判別した結果、既存のＤＶＤビデオディスクの場合、ディスク内にＥＮＡＶコンテンツが存在しないため、インターネット経由で特定のウェブサーバよりダウンロードしたＥＮＡＶコンテンツ（ウェブコンテンツ）を再生する（Ｓ１５）。ステップＳ１５のウェブコンテンツ再生処理が、図８のフローチャートを用いて後述される。
【００７９】
又、判別した結果、エンハンスドＤＶＤビデオディスクの場合、ＤＶＤビデオプレーヤの内部に保持されているプレーヤ構成情報を示すパラメータのうち、ＤＶＤビデオディスクとして再生するか、エンハンスドＤＶＤビデオディスクとして再生するかを表すパラメータ（Ｐ＿ＣＦＧ＿ＥＮＡＶ）の値を参照する（Ｓ１３）。このとき、Ｐ＿ＣＦＧ＿ＥＮＡＶ＝０ｂのとき、つまりＤＶＤビデオディスクとして再生する場合、前述のようにディスク内のＥＮＡＶコンテンツを再生せず、インターネット経由で特定のウェブコンテンツ配信サーバよりダウンロードしたＥＮＡＶコンテンツ（ウェブコンテンツ）を再生する（Ｓ１５）。
【００８０】
ステップＳ１３にて、Ｐ＿ＣＦＧ＿ＥＮＡＶ＝１ｂのとき、つまりエンハンスドＤＶＤビデオディスクとして再生する場合、エンハンスドＤＶＤビデオディスク内のあらかじめ決められた起動ファイル（例えば、ＤＶＤ＿ＥＮＡＶディレクトリの直下にあるｉｎｄｅｘ．ｈｔｍファイルやｉｎｄｅｘ．ｓｍｌといったファイル）に従って再生する。つまり、まずはディスク内にある起動ファイルを読み込み、それに従って、ディスク内のＥＮＡＶコンテンツや、インターネット経由で特定のウェブサーバよりダウンロードしたＥＮＡＶコンテンツ（ここでは区別するためにウェブコンテンツと呼ぶ）を再生する（Ｓ１４）。
【００８１】
・ウェブコンテンツを含むＥＮＡＶコンテンツの再生動作
次に、図５のステップＳ１４での、ウェブコンテンツを含むＥＮＡＶコンテンツの再生動作を、図６のフローチャートを用いて説明する。
【００８２】
前述のとおり、まずはディスク上にある起動ファイル（例えば、ルートのＤＶＤ＿ＥＮＡＶディレクトリの直下にあるｉｎｄｅｘ．ｈｔｍファイルやｉｎｄｅｘ．ｓｍｌといったファイル）を読み込み（Ｓ２２）、これに従って再生を行う。この起動ファイルは、ＨＴＭＬ／ＸＨＴＭＬやＳＭＩＬといったマークアップ言語と、ＥＣＭＡスクリプトやジャバ（Java）スクリプトといったスクリプト言語で記述されており、このファイルはディスク上の又はウェブコンテンツ配信サーバＳ上のＥＮＡＶコンテンツを参照している。
【００８３】
起動ファイルにウェブコンテンツの再生要求がなければ（Ｓ２３）、ディスク上のＥＮＡＶコンテンツの再生を行う（Ｓ２４）。しかし、ウェブコンテンツの再生要求があり（Ｓ２３）、ウェブコンテンツ配信サーバＳ上のＥＮＡＶコンテンツを、ディスク中の例えば、エンハンスド・ナビゲーションコンテンツであるマークアップ／スクリプト言語３１である起動ファイル中のアドレス情報や認証情報により参照していれば、ユーザイベント制御部５４とインターネット通信部６２の働きにより、参照しているウェブコンテンツ配信サーバＳにアクセスする。そして、ウェブコンテンツをダウンロードするための認証作業を、同様に起動ファイル等に格納された認証情報、又は後述するようにコンテンツの復号されたデータに基づいて行う（Ｓ２５）。
【００８４】
なお、この認証処理は、図５のフローチャートにおいて、初めにディスクが挿入された時点で、ユーザの操作を待つことなく自動的に行なうことが可能である。従って、ユーザは、ディスクのコンテンツの再生を指示することにより、自動的にインターネットを介してウェブコンテンツ配信サーバＳからＥＮＡＶコンテンツをダウンロードし、図９を用いて後述するように、ディスク中のＤＶＤコンテンツやＥＮＡＶコンテンツにウェブのＥＮＡＶコンテンツが合成された映像を得ることも可能である。
【００８５】
認証が成功した場合、光ディスク装置は、ディスク上のＥＮＡＶコンテンツとウェブサーバ上のＥＮＡＶコンテンツとの比較を行う。例えば、各々のファイルのタイムスタンプ、又は各々のファイルのもつバージョン番号等を用いて、どちらのファイルが新しいかの比較を行う。
【００８６】
ウェブコンテンツがディスク上のＥＮＡＶコンテンツよりも新しくなければ（Ｓ２６）、ディスク上のダウンロードを行わずに、ディスク上のＥＮＡＶコンテンツを再生する（Ｓ２７）。新しければ、参照したウェブコンテンツのダウンロード作業を行い（Ｓ２８）、ダウンロードが完了したら（Ｓ２９）、ダウンロードしたウェブコンテンツの再生を行う（Ｓ３０）。
【００８７】
ステップＳ２５の認証作業において、もし認証が成功しなかった場合は、代わりにディスク上に記録されているＥＮＡＶコンテンツの再生を行う（Ｓ３１，Ｓ３３）。このとき、代わりに再生するＥＮＡＶコンテンツがディスク上に存在しない場合は、エラーメッセージ等を表示し、ＥＮＡＶコンテンツが再生できないことをユーザに知らせる（Ｓ３２）。
【００８８】
又、ダウンロード作業において、何らかの理由でダウンロードが失敗した場合（接続が中断した等）も、代わりにディスク上に記録されているＥＮＡＶコンテンツの再生を行う（Ｓ３３）。もし、代わりに再生するＥＮＡＶコンテンツがディスク上に存在しない場合は、エラーメッセージ等を表示し、ＥＮＡＶコンテンツが再生できないことをユーザに知らせる（Ｓ３２）。
【００８９】
図７には、ウェブコンテンツを含むＥＮＡＶコンテンツの構成例を示す。ＥＮＡＶコンテンツは、ＨＴＭＬ／ＸＨＴＭＬやＳＭＩＬといったマークアップ言語と、ＥＣＭＡスクリプトやジャバ（Java）スクリプトといったスクリプト言語で記述されたＥＮＡＶコンテンツの再生を制御するためデータ、動画、静止画といった画像データ、音声データ等から構成される。ＥＮＡＶコンテンツの再生を制御するため、データは、前述のＥＮＡＶコンテンツを構成するデータ以外にも、ＤＶＤビデオコンテンツ自体を参照することもできる。
【００９０】
例えば、図７においては、起動のためのファイルはディスクに記録されており、このファイルには、前述したプレーヤの内部パラメータＰ＿ＣＦＧ＿ＷＥＢの値を参照し、Ｐ＿ＣＦＧ＿ＷＥＢ＝０ｂのときはインターネット接続（ウェブ接続）を行わず、ディスク上に記録されている再生を制御するためのデータを読み込み、Ｐ＿ＣＦＧ＿ＷＥＢ＝１ｂのときはインターネット接続（ウェブ接続）を行い、ウェブコンテンツ配信サーバＳ上の再生を制御するためのデータをダウンロードして読み込むことが、スクリプト言語等で記述されている。
【００９１】
これにより、Ｐ＿ＣＦＧ＿ＷＥＢ＝０ｂが設定されたプレーヤ（既存のＤＶＤプレーヤ、インターネット接続機能を持たないエンハンスドＤＶＤ対応プレーヤ、インターネット接続機能を持つがインターネット接続機能が作動していないエンハンスドＤＶＤ対応プレーヤ）は、ディスク上に記録されている再生を制御するためのデータを読み込む。このデータが参照しているＥＮＡＶコンテンツはそれぞれ全てディスクに記録されているものであり、全て再生することが可能である。
【００９２】
一方、Ｐ＿ＣＦＧ＿ＷＥＢ＝１ｂが設定されたプレーヤ（インターネット接続機能を持ちインターネット接続機能が作動しているエンハンスドＤＶＤ対応プレーヤ）は、ウェブコンテンツ配信サーバＳ上の再生を制御するためのデータをダウンロードして読み込む。このデータが参照しているＥＮＡＶコンテンツは、ウェブコンテンツ配信サーバＳ上にあるＥＮＡＶコンテンツやディスク上にあるＥＮＡＶコンテンツを参照している。ＥＮＡＶコンテンツをウェブ上におくことにより、インターネット接続機能があるプレーヤは、常に最新のデータを読み込むことができる。このとき、変更されていないデータは、再生を制御するためのデータに従って、ディスク上のデータを読み込む。
【００９３】
・ウェブコンテンツの再生動作
次に、図５のステップＳ１５におけるウェブコンテンツの再生動作について説明する。ここでは、ディスク上にＥＮＡＶコンテンツが存在しないＤＶＤビデオディスク、又はＥＮＡＶコンテンツが存在するエンハンスドＤＶＤビデオディスクではあるがディスク上のＥＮＡＶコンテンツを用いない場合を想定している。
【００９４】
図８のフローチャートにおいて、まず、光ディスク装置Ａでは、挿入されたＤＶＤディスクに対応したコンテンツが存在するウェブコンテンツ配信サーバＳにアクセスする。このとき、ウェブコンテンツ配信サーバＳを特定する方法として、以下のような場合がある。
【００９５】
（１） ユーザが光ディスク装置のもつ機器設定メニュー等を用い、アクセスするウェブコンテンツ配信サーバＳの情報（ＵＲＬアドレスやＩＰアドレス等）を手動で入力する場合（Ｓ４１）。
【００９６】
（２）  光ディスク装置がディスク内の特定の箇所に存在するウェブサーバ情報（一例として、ＤＶＤビデオディスクのＤＶＤビデオエリア１３内のビデオ管理情報ＶＭＧ２１や、ＤＶＤビデオディスクの他の記録エリア１４内のＥＮＡＶコンテンツであるマークアップ／スクリプト言語３１内の起動ファイル等に格納されたＵＲＬアドレスやＩＰアドレス等）を参照する場合（Ｓ４２）。
【００９７】
（３） 光ディスク装置が、図１１に示すように、まず特定のデータベースサーバＢにアクセスする。そして、ＤＶＤディスクの情報（例えばＤＶＤビデオディスクの管理情報ＶＭＧ２１や、オブジェクト情報であるビデオタイトルセット２２の一部）を用いて、ディスクに対応するウェブサーバ（ウェブコンテンツ配信サーバ）Ｓ１〜Ｓ３のアドレスを特定する場合（Ｓ４３）。
【００９８】
光ディスク装置Ａは、このように特定したウェブコンテンツ配信サーバＳにアクセスし（Ｓ４４）、アクセスしたウェブコンテンツ配信サーバＳとウェブコンテンツをダウンロードするための認証作業を行う。そして、認証が成功した場合（Ｓ４５）、このサーバＳからＥＮＡＶコンテンツのダウンロード作業が開始される（Ｓ４６）。ダウンロードが完了すれば(Ｓ４７)、ＥＮＡＶコンテンツの再生を行うことができる（Ｓ４８）。
【００９９】
もし、認証が失敗した場合、もしくはダウンロード作業が失敗した場合（接続が中断した等）、ＥＮＡＶコンテンツが再生できないことをエラーメッセージとしてユーザに知らせる（Ｓ４９）。
【０１００】
・ＥＮＡＶコンテンツの再生と合成
ダウンロードしたＥＮＡＶコンテンツは、単独で、又は、ディスク中のＤＶＤコンテンツと又はディスク中のＥＮＡＶコンテンツと合成して表示することが可能である。図９は、本発明に係る光ディスク装置が行う光ディスクのコンテンツとウェブからのＥＮＡＶコンテンツとの表示の一例を示す説明図である。
【０１０１】
図９において、（ａ）は、光ディスクのビデオコンテンツ又はＥＮＡＶコンテンツＤが示された画面、（ｂ）は、ウェブ配信のＥＮＡＶコンテンツＷを背景に、光ディスクのビデオコンテンツ又はＥＮＡＶコンテンツＤが小窓に示された画面、（ｃ）は、光ディスクのビデオコンテンツ又はＥＮＡＶコンテンツＤを背景に、ウェブ配信のＥＮＡＶコンテンツＷが小窓に示された画面、（ｄ）は、ウェブ配信のＥＮＡＶコンテンツＷが示された画面である。すなわち、図８のステップＳ４６においてダウンロードが完了し、ステップＳ４８においてＥＮＡＶコンテンツの再生を行う場合に、少なくとも、上述した４つの場合の表示が可能である。
【０１０２】
すなわち、ウェブコンテンツ配信サーバＳからインターネット通信部６２を介して配信されたＥＮＡＶコンテンツは、バッファ部５７を介してＥＮＡＶ解釈部５６により解読され、これに応じたＥＮＡＶコマンドがＥＮＡＶインターフェース部５５に供給されると共に、バッファ部５７からエレメントデコーダ５８に供給されて、映像・音声データとして、映像・音声出力制御部５９に供給される。
【０１０３】
一方、ユーザイベント制御部５４は、ユーザ操作部５３からの操作信号を受けて、又は、上述したリモコン１０１の出力モード選択スイッチ１０２の操作によって、先の（ａ）、（ｂ）、（ｃ）、（ｄ）の４つの場合の切り替えを行うべく、制御信号を映像・音声出力制御部５９に供給する。映像・音声出力制御部５９では、ＤＶＤビデオ再生部Ｒからの映像・音声データと、エレメント・デコーダ５８からの映像・音声データとを適宜合成して、（ｂ）及び（ｃ）の合成映像を生成する。そして、ユーザイベント制御部５４からの制御信号に応じて、所望の映像データ及び音声データを選択的に出力するものである。
【０１０４】
又、ここで、ディスク中のＤＶＤコンテンツを用いずに、ディスク中のＥＮＡＶコンテンツと、ウェブ配信されたＥＮＡＶコンテンツとのどちらか一方を操作信号に応じて出力することも可能である。
【０１０５】
このように、本発明に係る光ディスク装置Ａにおいては、光ディスクｄに格納されたＤＶＤコンテンツやＥＮＡＶコンテンツだけではなく、インターネットを介してウェブコンテンツ配信サーバＳから配信されたＥＮＡＶコンテンツを単独で、又は、ディスク中のＤＶＤコンテンツやＥＮＡＶコンテンツと合成して表示することができる。このとき、後述するように、光ディスクに格納されたアドレス情報に基づくウェブコンテンツ配信サーバＳへのアクセス処理であり、光ディスクに格納された情報に基づく認証処理を行うため、光ディスクを有していないとＥＮＡＶコンテンツの配信を得ることができない。
【０１０６】
これにより、本発明によれば、高いセキュリティを確保することで、ディスク中の情報だけでなくこれに連動して通信回線を介してウェブコンテンツ配信サーバＳから供給された付加価値の高いエンハンスド・ナビゲーションコンテンツをも利用することができる光ディスク装置と光ディスク処理方法及び光ディスクを提供するものである。
【０１０７】
・個人認証と購入手続
更に本発明によれば、図８のフローチャートでのステップＳ４８においてウェブコンテンツを再生する際に、図１に示すＩＣカードインタフェース６３を介して、又は、図１５に示すリモコン１０１に設けられたインタフェースを介して、個人認証のための情報を格納したＩＣカード１０８を挿入して、この個人情報を読み込ませることができる。これにより、ウェブコンテンツ配信サーバＳに対して非常に容易に個人認証処理が可能となるため、例えば、図９の（ｄ）で示したＥＮＡＶコンテンツのひとつとして示される、現在、再生中のＤＶＤに関連したＤＶＤのショッピング情報に対して、容易に、購入手続きを行うことが可能となる。
【０１０８】
従って、ユーザは、光ディスクを再生するべく、本発明に係る光ディスク装置Ａのディスク検出部６１にこれを装填することにより、ディスク内のアドレス情報等に基づき、自動的にインターネットに接続され、自動的に認証処理を経た後に、ウェブコンテンツ配信サーバＳから配信されたＥＮＡＶコンテンツがダウンロードされるため、例えば、図９の（ｃ）のように、再生中の映像に関連したコンテンツの合成画像を見ることができる。その後、上述したＩＣカード１０８からの個人認証のための情報に基づき、極めて容易に、例えば、図９の（ｄ）に示されるように、関連のディスクの購入手続きの画面にアクセスすることができ、購入手続きを行うことが可能となるものである。
【０１０９】
・ＥＮＡＶコンテンツ
図１０にウェブコンテンツ配信サーバＳから取得したＥＮＡＶコンテンツ（ウェブコンテンツ）の構成例を示す。ＥＮＡＶコンテンツは、ＨＴＭＬ／ＸＨＴＭＬやＳＭＩＬといったマークアップ言語と、ＥＣＭＡスクリプトやジャバ（Java）スクリプトといったスクリプト言語で記述されたＥＮＡＶコンテンツの再生を制御するためのデータ、動画、静止画といった画像データ、音声データ等から構成される。ＥＮＡＶコンテンツの再生を制御するためのデータは、前述のＥＮＡＶコンテンツを構成するデータ以外にも、ＤＶＤビデオコンテンツ自体のデータも参照することができる。この例では、ＤＶＤビデオディスク、又はＤＶＤビデオエリアしか参照しないエンハンスドＤＶＤビデオディスクを想定しているため、再生を制御するためのデータはウェブコンテンツ配信サーバＳから取得したＥＮＡＶコンテンツ、又はディスク上に記録されたＤＶＤビデオコンテンツのみの参照を行っている。
【０１１０】
・認証処理
インターネット接続機能付き光ディスク装置Ａと、ＥＮＡＶコンテンツを配信するウェブコンテンツ配信サーバＳとの認証処理の手順を、図１２の認証処理を示すフローチャートを用いて説明する。この認証処理は、図６のステップＳ２５や図８のステップＳ４５等に示されたものである。
【０１１１】
このフローチャートにおいて、まず、光ディスク装置Ａは特定したＥＮＡＶコンテンツを配信するウェブコンテンツ配信サーバＳに配信要求を出す（Ｓ５１）。配信要求を受信したウェブコンテンツ配信サーバＳは（Ｓ５２）、配信を要求した光ディスク装置Ａが正規のＤＶＤビデオディスク、又はエンハンスドＤＶＤビデオディスクから要求されたものかを調べるために認証手続きを行うべく、ウェブコンテンツ配信サーバＳは認証を行うためのチェックデータ（認証情報）の要求を行う（Ｓ５２）。
【０１１２】
ここで、チェックデータ（認証情報）の一例として、ＤＶＤビデオディスク／エンハンスドＤＶＤビデオディスクのデータの一部を用いることが可能である。例えば、リードインエリア１１の中にあるコントロールデータの一部や、ビデオ管理情報ＶＭＧ２１のデータの一部を用いることができる。更に、ＤＶＤビデオコンテンツの多くはデータが暗号化されており、チェックデータとして、ＤＶＤビデオコンテンツのデータを復号した後のＤＶＤビデオコンテンツデータの一部を用いることにより、正規のＤＶＤプレーヤと正規のＤＶＤビデオディスク／エンハンスドＤＶＤビデオディスクからの認証情報であることが証明できる。従って、光ディスク装置において、ＤＶＤディスクの暗号化されている情報（これは、ＤＶＤビデオコンテンツのビデオタイトルセット２２でもよいし、ＥＮＡＶコンテンツの動画データ３２であってもよいし、他のものであってもよい）の復号後のデータをチェックデータ（認証情報）として、ウェブコンテンツ配信サーバＳに送信する（Ｓ５３）。
【０１１３】
ウェブコンテンツ配信サーバＳは光ディスク装置Ａから送られた認証のためのチェックデータを解析し、そのデータが正当なものと認めることができれば、ＤＶＤビデオディスク／エンハンスドＤＶＤビデオディスクのタイトルを特定するためのチェックデータの要求を行う（Ｓ５４）。例えば、このチェックデータも、一例として、前述のようにリードインエリア１１の中にあるコントロールデータの一部や、ビデオ管理情報ＶＭＧ２１のデータの一部や、復号したあとのＤＶＤビデオコンテンツのデータの一部を用いて送信する（Ｓ５５）。又、このチェックデータは前述の認証のためのチェックデータと兼用することも可能である。
【０１１４】
ウェブコンテンツ配信サーバＳは光ディスク装置Ａから送られたタイトルを特定するためのチェックデータを解析し、ウェブコンテンツ配信サーバＳのもつデータベース等を用いて、光ディスク装置Ａに挿入されているＤＶＤビデオディスク／エンハンスドＤＶＤビデオディスクのタイトルの特定を行う。そして、ウェブコンテンツ配信サーバＳは、ＤＶＤビデオディスク／エンハンスドＤＶＤビデオディスクのタイトルに対応したＥＮＡＶコンテンツを光ディスク装置Ａに配信する（Ｓ５６）。光ディスク装置Ａは受信したＥＮＡＶコンテンツを内部のバッファ部５７に格納する（Ｓ５７）。このとき、配信するＥＮＡＶコンテンツは、暗号化したＥＮＡＶコンテンツを配信しても良いし、すでに復号したＥＮＡＶコンテンツを配信してもよい。ただし、暗号化されたＥＮＡＶコンテンツを配信した場合、光ディスク装置Ａで、復号する必要があり、例えば、ディスクに記録された鍵情報を用いて、バッファ上のＥＮＡＶコンテンツを復号する（Ｓ５７）。その後、復号したＥＮＡＶコンテンツをＤＶＤビデオコンテンツと合成して、又は、単独で再生されて出力される。
【０１１５】
ここでは、ディスク中の暗号化されたコンテンツを復号することにより、認証情報すなわちチェックデータとして使用したが、これ以外にも、ディスク中のＤＶＤコンテンツ又はＥＮＡＶコンテンツ等に専用の認証情報を設けることも可能であり、ディスクに格納されている情報で認証処理を行うものであれば、同様にセキュリティを確保することができる。
【０１１６】
・暗号化・復号処理
ここで、図１２のステップＳ５７の暗号化・復号について、図１３を用いて説明する。ウェブコンテンツ配信サーバＳに置かれたＥＮＡＶコンテンツは、あらかじめ対応するＤＶＤビデオディスク／エンハンスドＤＶＤビデオディスクのデータを用いて（鍵情報として）暗号化されている。前述の鍵情報として、例えば、リードインエリア１１の中にあるコントロールデータの一部や、ビデオ管理情報ＶＭＧ２１のデータの暗号化を行わない部分や、ビデオタイトルセットＶＴＳ２２の暗号化を行わない部分等を用いることが可能である。これにより、光ディスク装置ＡがＥＮＡＶコンテンツを受信したとしても、正規のＤＶＤビデオディスク／エンハンスドＤＶＤビデオディスクが挿入されていなければ、ＥＮＡＶコンテンツが復号できず、よって再生もできない。
【０１１７】
前述の暗号化されたＥＮＡＶコンテンツを受信した光ディスク装置Ａは、ＥＮＡＶコンテンツをバッファ部５７に格納したのち、復号作業を行う。光ディスク装置Ａ内には、受信したＥＮＡＶコンテンツに対応したＤＶＤビデオディスク／エンハンスドＤＶＤビデオディスクが挿入されていれば、暗号化した際に用いたＤＶＤビデオディスク／エンハンスドＤＶＤビデオディスクの鍵情報を光ディスク装置Ａは必ず持っていることになる。光ディスク装置Ａは、その鍵情報を用いてバッファ部５７に格納されている暗号化されたＥＮＡＶコンテンツの復号を行い、再びバッファ部５７に格納する。これにより、セキュリティを保持しながらコンテンツ配信サーバＳから光ディスク装置Ａへと、ＥＮＡＶコンテンツを配信することができる。
【０１１８】
・常時認証処理
次に、上述した認証処理を自動的に一定サイクルごとに反復的に行うことで、光ディスクが離脱した以降の記録コンテンツの配信を中止する場合を説明する。すなわち、図１２の配信要求Ｓ５１とチェックデータの要求Ｓ５２と復号データの送信Ｓ５３とデータパターン解析と認証処理の完了Ｓ５４との工程を一定サイクルごとに反復的に行うことにより、一度だけの認証処理ではなく、常に、光ディスクが格納されていることを監視することが可能となる。このような処理により、光ディスクが離脱した場合に認証処理の結果を不適とすることで、ＥＮＡＶコンテンツを含む記録コンテンツのそれ以降の取得を不可能とすることにより、一層のセキュリティを確保することができる。
【０１１９】
又、更に、図１４のフローチャートに示す方法によれば、認証処理が完了した後に、ユーザ等の操作によってディスクの排出がなされたことが確認できたら（Ｓ６１）、ここでユーザイベント制御部５４等の判断により認証状態が中断したものとみなして、ウェブコンテンツ配信サーバＳとの接続状態を中断する（Ｓ６２）。そして、ＤＶＤビデオコンテンツの再生を行うか（Ｓ６３）、ウェブコンテンツを含まないＥＮＡＶコンテンツの再生を行うか（Ｓ６４）、又は、認証処理の必要のないウェブ接続だけを続行して行うことが可能となる。
【０１２０】
図１４に示した方法によっても、認証処理を一定サイクルごとに繰り返す方法と同様に、配信されるＥＮＡＶコンテンツのセキュリティを確保することが可能となる。
【０１２１】
以上、詳細に説明したとおり、本発明に係る光ディスク装置と光ディスクによれば、ディスクに格納された情報だけではなく、ディスク中の情報に連動して通信回線を介してウェブコンテンツ配信サーバＳから配信されたＥＮＡＶコンテンツ等の多彩な情報も、ＤＶＤコンテンツと合成されて、又は単独で再生することが可能となる。又、ディスク中に格納された情報に基づいて、アクセス処理及び認証処理が行われるため、ディスクを保有しない者が配信情報を得ることができないため高いセキュリティが保証されており、このため、付加価値の高い拡張情報であるＥＮＡＶコンテンツ等を配信することが可能となる。
【０１２２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【０１２３】
【図１】本発明に係る光ディスク装置の構成の一例を示すブロック図。
【図２】本発明に係る光ディスク装置が扱う光ディスクの構成の一例を示す図。
【図３】本発明に係る光ディスク装置が扱う光ディスクの特徴を有していない光ディスクの一例を示す図。
【図４】本発明に係る光ディスク装置が有する内部パラメータの一例を示す図。
【図５】本発明に係る光ディスク装置の起動時の動作の一例を示すフローチャート。
【図６】本発明に係る光ディスク装置のウェブコンテンツを含むＥＮＡＶコンテンツの再生処理の一例を示すフローチャート。
【図７】本発明に係る光ディスク装置が扱うＥＮＡＶコンテンツの構成の一例を示す図。
【図８】本発明に係る光ディスク装置のウェブコンテンツの再生処理の一例を示すフローチャート。
【図９】本発明に係る光ディスク装置が行う光ディスクのコンテンツとウェブからのＥＮＡＶコンテンツとの表示の一例を示す説明図。
【図１０】本発明に係る光ディスク装置が扱うウェブコンテンツの構成の一例を示す図。
【図１１】本発明に係る光ディスク装置によるデータベースサーバを介するウェブコンテンツ配信サーバへの接続を説明する図。
【図１２】本発明に係る光ディスク装置のウェブコンテンツ配信サーバとの通信の一例を示すフローチャート。
【図１３】本発明に係る光ディスク装置のＥＮＡＶコンテンツの暗号・復号処理を説明する説明図。
【図１４】本発明に係る光ディスク装置の光ディスクの排出処理の一例を示すフローチャート。
【図１５】本発明に係る光ディスク装置のコントローラの一例を示す図。
【符号の説明】
【０１２４】
Ａ…ＤＶＤビデオプレーヤ、Ｒ…ＤＶＤビデオ再生部、Ｅ…ＥＮＡＶ再生部、５３…ユーザ操作部、６１…ディスク検出部、６２…インターネット通信部、６３…ＩＣカードインターフェース、１０１…リモコン、１０８…ＩＣカード。
【図１】
2006073187.tif 000003
【図２】
2006073187.tif 000004
【図３】
2006073187.tif 000005
【図４】
2006073187.tif 000006
【図５】
2006073187.tif 000007
【図６】
2006073187.tif 000008
【図７】
2006073187.tif 000009
【図８】
2006073187.tif 000010
【図９】
2006073187.tif 000011
【図１０】
2006073187.tif 000012
【図１１】
2006073187.tif 000013
【図１２】
2006073187.tif 000014
【図１３】
2006073187.tif 000015
【図１４】
2006073187.tif 000016
【図１５】
2006073187.tif 000017